(57)【要約】  バイタルサイン監視システムが、ユーザのバイタルサインを測定又は決定し、出力信号を出力するよう構成される少なくとも１つの光学バイタルサインセンサ１００を有する。上記光学バイタルサインセンサ１００は、上記ユーザの皮膚１０００の方へ向けられるレーザー光を生成するよう構成される少なくとも１つのレーザー光源１１０と、上記ユーザの上記皮膚１０００における又は上記皮膚からの上記少なくとも１つの光源からの上記レーザー光の吸収又は反射を示す光を検出するよう構成される少なくとも１つの光検出器ユニット１２０とを含む。このバイタルサイン監視システムは、第１の動作モードにおいて、非コヒーレント光が、上記ユーザの上記皮膚１０００の方へ向けられるよう、上記少なくとも１つのレーザー光源１１０からの上記レーザー光の波面を歪めるよう構成され、第２の動作モードにおいて、コヒーレント光が、上記ユーザの上記皮膚１０００の方へ向けられるよう、上記レーザー光の波面の歪曲を停止させるよう構成されるコヒーレンス歪曲ユニット２００を含む。
2017505660.tif 000002
【特許請求の範囲】
【請求項１】
バイタルサイン監視システムであって、
ユーザのバイタルサインを測定又は決定し、出力信号を出力するよう構成される少なくとも１つの光学バイタルサインセンサであって、前記少なくとも１つの光学バイタルサインセンサが、前記ユーザの皮膚の方へ向けられるレーザー光を生成するよう構成される少なくとも１つのレーザー光源と、前記ユーザの前記皮膚における又は前記皮膚からの前記少なくとも１つの光源からの前記レーザー光の吸収又は反射を示す光を検出するよう構成される少なくとも１つの光検出器ユニットとを含む、少なくとも１つの光学バイタルサインセンサと、
第１の動作モードにおいて、非コヒーレント光が、前記ユーザの前記皮膚の方へ向けられるよう、前記少なくとも１つのレーザー光源からの前記レーザー光の波面を歪めるよう構成され、第２の動作モードにおいて、コヒーレント光が、前記ユーザの前記皮膚の方へ向けられるよう、前記レーザー光の波面の歪曲を停止させるよう構成されるコヒーレンス歪曲ユニットと、
心拍分析ユニット及び微小循環分析ユニットを持ち、前記少なくとも１つの光学バイタルサインセンサの出力信号を分析するよう構成される分析ユニットであって、前記第１の動作モードにおいて、前記心拍分析ユニットが、前記ユーザの心拍を決定するため、前記少なくとも１つの光検出器の出力を分析するよう構成され、前記第２の動作モードにおいて、前記微小循環分析ユニットが、前記ユーザの微小循環のパラメータを決定するため、前記少なくとも１つの光検出器の出力を分析するよう構成される、分析ユニットとを有する、バイタルサイン監視システム。
【請求項２】
前記少なくとも１つの光学バイタルサインセンサが、フォトプレチスモグラフセンサである、請求項１に記載のバイタルサイン監視システム。
【請求項３】
前記第１又は第２の動作モードを起動させるよう構成される制御ユニットを更に有する、請求項２に記載のバイタルサイン監視システム。
【請求項４】
前記コヒーレンス歪曲ユニットが、前記第１の動作モードにおいて前記少なくとも１つのレーザー光源からの前記レーザー光の波面を歪めるため、前記少なくとも１つのレーザー光源に供給される入力電流を制御するよう構成される、請求項１に記載のバイタルサイン監視システム。
【請求項５】
前記コヒーレンス歪曲ユニットが、前記少なくとも１つのレーザー光源からの前記レーザー光の波面の位相を歪めるよう構成される位相変調器を有する、請求項１に記載のバイタルサイン監視システム。
【請求項６】
前記コヒーレンス歪曲ユニットが、前記少なくとも１つのレーザー光源からの前記レーザー光の波面を空間的に歪めるため、電気的に制御された拡散器を有する、請求項１に記載のバイタルサイン監視システム。
【請求項７】
前記コヒーレンス歪曲ユニットが、前記少なくとも１つのレーザー光源からの前記レーザー光の波面を空間的に歪めるため、空間的な光変調器を有する、請求項１に記載のバイタルサイン監視システム。
【請求項８】
前記コヒーレンス歪曲ユニットが、拡散係数を変化させることにより、前記少なくとも１つのレーザー光源からの前記レーザー光の波面を空間的に歪めるため、エレクトロクロミック又は液晶ユニットを有する、請求項１に記載のバイタルサイン監視システム。
【請求項９】
前記コヒーレンス歪曲ユニットが、前記少なくとも１つのレーザー光源からの前記光の波面を歪めるため、前記光の波長を変化させるよう構成される波長変調器を有する、請求項１に記載のバイタルサイン監視システム。
【請求項１０】
前記少なくとも１つのレーザー光源が、段階状の極薄のキャビティ固体レーザーを有する、請求項１に記載のバイタルサイン監視システム。
【請求項１１】
ユーザのバイタルサインを監視する方法において、
少なくとも１つの光学バイタルサインセンサによりユーザのバイタルサインを測定又は決定するステップであって、前記少なくとも１つの光学バイタルサインセンサが、前記ユーザの皮膚の方へ向けられるレーザー光を生成するよう構成される少なくとも１つのレーザー光源と、前記ユーザの前記皮膚における又は前記皮膚からの前記少なくとも１つの光源からの前記レーザー光の吸収又は反射を示す光を検出するよう構成される少なくとも１つの光検出器ユニットとを含む、ステップと、
第１の動作モードにおいて、非コヒーレント光が、前記ユーザの前記皮膚の方へ向けられるよう、前記少なくとも１つのレーザー光源からの前記レーザー光の波面を歪めるステップと、
第２の動作モードにおいて、コヒーレント光が、前記ユーザの前記皮膚の方へ向けられるよう、前記レーザー光の波面の歪曲を停止させるステップと、
前記少なくとも１つの光学バイタルサインセンサの出力信号を分析するステップであって、前記第１の動作モードにおいて、前記分析ステップが、前記ユーザの心拍を決定するため、前記少なくとも１つの光検出器の出力を分析するよう構成され、前記第２の動作モードにおいて、前記分析ステップが、前記ユーザの微小循環のパラメータを決定するため、前記少なくとも１つの光検出器の出力を分析するよう構成される、ステップとを有する、方法。
【請求項１２】
プロセッサに請求項１１に記載のバイタルサイン監視方法のステップを実行させるプログラムコード手段を含むコンピュータプログラム。
【発明の詳細な説明】
【技術分野】
【０００１】
本発明は、ユーザのバイタルサインを監視するバイタルサイン監視システム及び方法に関する。
【背景技術】
【０００２】
光学的心拍センサは、ユーザの心拍といったバイタルサインをモニタ又は検出するために良く知られている。斯かる心拍センサは、フォトプレチスモグラフ（ＰＰＧ）センサに基づかれることができ、ボリュメトリック器官測定を得るために用いられることができる。パルス酸素濃度計を用いて、人間の皮膚の光吸収における変化が検出され、これらの測定に基づき、ユーザの心拍又は他のバイタルサインが決定されることができる。ＰＰＧセンサは、ユーザの皮膚に光を放出する発光ダイオード（ＬＥＤ）といった光源を有する。放出された光は、皮膚において散乱され、血液により少なくとも部分的に吸収される。光の一部は、皮膚を出て、フォトダイオードによりキャプチャされることができる。フォトダイオードによりキャプチャされる光の量は、ユーザの皮膚内部の血液量のインジケーションでありえる。ＰＰＧセンサは、特定の波長での吸収測定を介して皮膚の真皮及び皮下組織における血液の潅流をモニタすることができる。脈動する心臓が原因で血液量が変化される場合、ユーザの皮膚から戻る散乱光も変化する。従って、フォトダイオードを用いて検出された光信号をモニタすることにより、皮膚におけるユーザのパルス及び従って心拍が、決定されることができる。
【０００３】
ＵＳ２００７／２８７９２７号は、光感知システムを備えたバイタルサイン測定デバイスを開示する。光感知システムは、スペックルパターン出力を生み出す光源と、スペックルパターンの少なくとも一部を検出する光学検出器とを有する。光源は、レーザーといったコヒーレント光源である。代替的に、ＬＥＤが使用されることができる。
【発明の概要】
【発明が解決しようとする課題】
【０００４】
本発明の目的は、ユーザの心拍及び付加的なバイタルサイン情報を効率的に検出することが可能なバイタルサイン監視システムを提供することにある。
【課題を解決するための手段】
【０００５】
本発明の側面において、バイタルサイン監視システムが、提供される。バイタルサイン監視システムは、ユーザのバイタルサインを測定又は決定し、出力信号を出力するよう構成される少なくとも１つの光学バイタルサインセンサを有する。上記光学バイタルサインセンサが、上記ユーザの皮膚の方へ向けられるレーザー光を生成するよう構成される少なくとも１つのレーザー光源を含む。上記光学バイタルサインセンサは更に、上記ユーザの上記皮膚における又は上記皮膚からの上記少なくとも１つの光源からの上記レーザー光の吸収又は反射を示す光を検出するよう構成される少なくとも１つの光検出器ユニットを含む。バイタルサイン監視システムは更に、コヒーレンス歪曲ユニットを有する。第１の動作モードにおいて、上記コヒーレンス歪曲ユニットは、上記ユーザの上記皮膚の方へ向けられる光のコヒーレンスが歪められるよう、上記少なくとも１つのレーザー光源からの上記レーザー光の波面を歪めるよう構成される。第２の動作モードにおいて、上記コヒーレンス歪曲ユニットは、コヒーレント光が、上記ユーザの上記皮膚の方へ歪められないで向けられるよう、上記レーザー光の波面の歪曲を停止させるよう構成される。従って、上記コヒーレント歪曲ユニットを用いて、レーザー光源の形の単一の光源が使用されることができ、上記ユーザの上記皮膚に入る光が、コヒーレント又は非コヒーレントという２つの異なるモードを持つことができる。バイタルサイン監視システムは、心拍分析ユニット及び微小循環分析ユニットを持つ分析ユニットを有する。上記第１の動作モードにおいて、上記心拍分析ユニットは、上記ユーザの心拍を決定するため、上記少なくとも１つの光検出器の出力を分析するよう構成される。第２の動作モードにおいて、上記微小循環分析ユニットが、微小循環のパラメータを決定するため、上記少なくとも１つの光検出器の出力を分析するよう構成される。こうして、第１の動作モードにおいて、ユーザの上記心拍は検出され、第２の動作モードにおいて、上記微小循環のパラメータが検出されることができる。
【０００６】
本発明の側面によれば、上記少なくとも１つの光学バイタルサインセンサが、フォトプレチスモグラフＰＰＧセンサである。
【０００７】
本発明の更なる側面において、上記バイタルサイン監視システムは、上記第１又は第２の動作モードを起動させる制御ユニットを更に有する。
【０００８】
本発明の更なる側面において、上記コヒーレンス歪曲ユニットが、上記第１の動作モードにおいて上記少なくとも１つのレーザー光源からの上記レーザー光の波面を歪めるために上記レーザー光源の放出モードを変更するため、上記少なくとも１つの光源に供給される入力電流を制御するよう構成される。
【０００９】
本発明の更なる側面によれば、上記コヒーレンス歪曲ユニットは、上記少なくとも１つのレーザー光源からの上記レーザー光の波面の位相を空間的に歪めるよう構成される位相板又は位相拡散器を有する。
【００１０】
本発明の更なる側面によれば、上記コヒーレンス歪曲ユニットが、上記少なくとも１つのレーザー光源からの上記レーザー光の波面の位相を空間的に歪めるため、電気的に制御された拡散器を有する。
【００１１】
本発明の更なる側面によれば、上記コヒーレンス歪曲ユニットが、上記少なくとも１つのレーザー光源からの上記レーザー光の波面の位相を歪める位相変調器を有する。斯かる位相変調器の例は、非線形結晶、音響光学（ＡＯ）変調器及び（回転する）位相板を有する電気光学ＥＯ変調器である。
【００１２】
本発明の更なる側面において、上記コヒーレンス歪曲ユニットは、拡散係数を変化させることにより、上記少なくとも１つのレーザー光源からの上記レーザー光の波面の位相を空間的に歪めるため、空間的な光変調器を有する。斯かる空間的な光変調器の例は、液晶（ＬＣ）変調器、エレクトロクロミック変調器及び機械的な変調器である。例えば、回転ホイール、スキャンシステム、又はピエゾ若しくはガルバノスキャナーを含む。
【００１３】
本発明の更なる側面において、上記コヒーレンス歪曲ユニットが、上記光の波長を変化させ、これにより上記波面を歪めるよう構成される波長変調器を有する。斯かる変調器は、エタロン又はファブリペロー干渉計又は電気光学変調器とすることができる。
【００１４】
本発明の側面によれば、上記コヒーレンス歪曲ユニットは、光学的に処理される変調器（液晶変調器、エレクトロクロミック変調器、電子光学変調器、音響光学変調器等）、電気的に処理される変調器（回転拡散器、回転位相板、ガルバニック又は圧電デバイス）、又は波長変調器として実現されることができる。
【００１５】
本発明の側面によれば、ＰＰＧセンサ（レーザー光源を用いるとき）の出力において典型的に不必要な高周波ノイズが、上記心拍の検出に関して放棄されるが、上記ユーザの微小循環に関する情報を得るために用いられる場合、有利に利用されることができることが実現される。こうして、微小循環を検出するために、本発明の側面によるスペックル分析が使用されることができる。
【００１６】
本発明の更なる側面によれば、上記少なくとも１つのレーザー光源が、段階状の極薄のキャビティ固体レーザーを有する。
【図面の簡単な説明】
【００１７】
【図１】本発明の側面によるバイタルサイン監視システムの動作主体の基本的な表現を示す図である。
【図２】本発明の側面によるバイタルサイン監視システムの光検出器の出力信号を示すグラフを示す図である。
【図３Ａ】歪められた波面を持つ光を伴う動作の第１のモードにおけるバイタルサイン検出の表現を示す図である。
【図３Ｂ】歪められていない波面を持つ光を伴う動作の第２のモードにおけるバイタルサイン検出の基本的な表現を示す図である。
【図４Ａ】第２の動作におけるバイタルサイン検出の基本的な表現を示す図である。
【図４Ｂ】第２の動作モードにおける光検出器の出力を示すグラフを示す図である。
【図４Ｃ】本発明による光検出器の出力信号の拡大部分を示すグラフを示す図である。
【図５】本発明の側面によるバイタルサイン監視システムのブロックダイアグラムを示す図である。
【図６Ａ】本発明の側面によるバイタルサイン監視システムに関するレーザー光源の概略的な表現を示す図である。
【図６Ｂ】本発明の側面によるバイタルサイン監視システムに関するレーザー光源の概略的な表現を示す図である。
【図７】本発明の側面によるバイタルサイン監視システムの概略的な断面を示す図である。
【発明を実施するための形態】
【００１８】
本発明の好ましい実施形態は、従属項、上記実施形態又は側面と個別の独立請求項との組み合わせとすることもできる点を理解されたい。
【００１９】
本発明のこれらの及び他の態様が、以下に説明される実施形態より明らとなり、これらの実施形態を参照して説明されることになる。
【００２０】
図１は、本発明の側面によるバイタルサイン監視システムの動作主体の基本的な表現を示す。図１において、本発明の側面によるバイタルサイン監視システム１０は、ユーザの腕において開示される。バイタルサイン監視システム１０は、心拍センサとして実現されることができ、これはレーザー光源１１０及び光検出器１２０を有する。レーザー光源１１０は、ユーザの皮膚１０００上へ又は内へ光を放出する。ここで、光の一部は反射され、反射された光は、光検出器１２０により検出されることができる。
【００２１】
図２は、本発明の側面によるバイタルサイン監視システムに関する光検出器の出力信号を示すグラフを示す。特に、図２において、時間及び光検出器１２０の出力電圧が、図示される。見て分かるように、出力電圧Ｖにおけるピークは、ユーザのパルスに対応することができ、これにより、ユーザの心拍が決定されることができる。
【００２２】
本発明によれば、光源１１０は、レーザー光源として実現されることができる。ユーザの心臓が脈動するとき、これは、光検出器１２０により検出されることができるユーザの皮膚における変化する血液量を生じさせる。本発明によれば、レーザー光源１１０は、第１及び第２の動作モードにおいて作動されることができる。第１の動作モードにおいて、コヒーレンス妨害ユニットは、レーザー光源の出力信号の波面を乱す又は歪めるために起動されることができる。第２の動作モードにおいて、レーザー光源が、コヒーレント光を放出することができるよう、コヒーレンス歪曲ユニットは、停止されることができる。第１の動作モードにおいて、この動作モードオンリーの非コヒーレント光が、ユーザの皮膚上へ又は内に放出される。
【００２３】
図３Ａは、歪められた波面を持つ光を伴う動作の第１のモードにおけるバイタルサイン検出の表現を示す。図３Ｂは、歪められていない波面を持つ光を伴う第２の作動モードにおけるバイタルサイン検出の基本的な表現を示す。光は、ユーザの皮膚１０００に放出され、動いている血液２と相互作用し、画像カメラといったカメラ１により検出される。
【００２４】
図３Ａにおいて、第１の動作モードにあるバイタルサイン監視システムの動作が、図示される。ここで、コヒーレンス歪曲は起動され、その結果、非コヒーレント光が、ユーザの皮膚１０００に入り、皮膚内部で血液と相互作用することができる。図３Ａに示される第１の動作モードにおいて、レーザー光源により放出される光は実質的に、発光ダイオードにより放出される光に対応する。図３Ａにおいて、光検出器１２０の出力信号ＶＰＤが、時間ｔにわたり図示される。
【００２５】
図３Ｂにおいて、第２の動作モードにあるバイタルサイン監視システムの動作が、図示される。ここで、コヒーレンス歪曲ユニットは停止される。その結果、レーザー光源からのコヒーレント光（即ち歪められていない波面を持つ）が、ユーザの皮膚１０００に入り、血液２と相互作用する。光検出器１２０の出力信号ＶＰＤが、図３Ｂにおいても図示される。ここで、出力信号にリプルが存在することが分かる。特に、ドップラー効果のため、光検出器１２０の出力信号において、高周波リプルが存在する。光検出器の出力信号におけるこの高周波リプルは、レーザースペックルの結果である。高周波リプルの存在は、心拍の検出をより困難にする。従って、概して、ユーザの心拍を検出するためには、レーザー光源を使用することは好ましくない。
【００２６】
図４Ａ〜図４Ｃにおいて、コヒーレント光を伴うレーザー光源の使用の効果が、図示される。レーザー光源からのコヒーレント光がユーザの皮膚に入り、動いている血球１ａと相互作用すると、信号の一部は、反射される。この場合、反射された信号は、ドップラー周波数シフト３及びシフトされない要素４を備える部分を含む。図４Ｂ及び図４Ｃにおいて、光検出器１２０の出力信号ＶＰＤが、時間ｔにわたり図示される。図４Ｃにおいて、心拍Ｂが検出されることができる。それの結果は、図４Ｂに図示される。そこでは、高周波リプルが見られることができる。
【００２７】
図５は、本発明によるバイタルサイン監視システムのブロック図を示す。バイタルサイン監視システム１０は、心拍監視又は検出システムとして実現されることができる。従って、監視システム１０は、光学的バイタルサインセンサ１００を有する。これは、ユーザの心拍又は他のバイタルサインを検出するため、フォトプレチスモグラフＰＰＧセンサを使用する。ＰＰＧセンサ１００は、少なくとも１つのレーザー光源１１０と少なくとも１つの光検出器１２０とを有する。レーザー光源１１０からの光は、ユーザの皮膚１０００に向けられる。光検出器１２０は、反射された光を検出することができる。
【００２８】
バイタルサイン監視システム１０は更に、コヒーレンス歪曲ユニット２００及びオプションで制御ユニット３００を有する。少なくとも１つの光検出器１２０の出力は、分析ユニット４００において分析されることができる。
【００２９】
オプションで、加速度計といった第２のセンサ５００及びバッテリ・ユニット６００が提供されることができる。バイタルサインの検出又は決定を確認又は改善するため、第２のセンサユニット５００からのセンサが用いられることができる。
【００３０】
本発明の側面によれば、バイタルサイン監視システム１０は、例えばスマートウォッチといった手首デバイスとして実現されることができる。この場合、デバイスは、電池ユニット６００を有することもできる。
【００３１】
バイタルサイン監視システム１０は、第１及び第２の動作モードにおいて作動されることができる。制御ユニット３００は、少なくとも第１及び第２の動作モードの間でバイタルサイン監視システムを切替えることができる。第１の動作モードにおいて、コヒーレンス歪曲ユニット２００が起動され、その結果、実質的な非コヒーレント光がユーザの皮膚１０００に達する。コヒーレンス妨害ユニット２００を用いて、レーザー光の波面は、より良好な信号を実現するよう歪められることができる。歪められた及び非コヒーレント光を用いると、コヒーレント光を用いる場合より、ユーザの心拍を検出することがかなり容易である。従って、心拍検出に関してより良好な信号を実現するため、コヒーレンス歪曲ユニット２００を用いて、レーザー光の波面は歪められる。
【００３２】
本発明の側面によれば、コヒーレンス妨害ユニット２００は、少なくとも１つのレーザー光源１１０に供給される電流を制御するよう構成される。半導体レーザダイオードの放出の波長がそのレーザー電流に依存する（例えば波長変調分光法において使用される）ので、レーザー駆動電流における変化は、放出されるモードを変化させる。放出モードの変更が１０ｋＨｚより大きい周波数で急速に発生する場合、スペックルパターン変化が同様のレートで発生する。スペックルパターンを変化させるため、散乱媒体を通る平均光路長及び平均的光学波長が、典型的波長の変更を実現するよう変化される必要がある。８５０ｎｍの波長及びほぼ５ｎｍの光路長に対して、必要とされる波長変化は、７０ピコメーター以上である。
【００３３】
本発明の更なる側面によれば、コヒーレンス妨害ユニット２００は、位相板又は拡散器により実現されることができる。これは、レーザー光源１１０の前に構成される。位相板又は拡散器は、回転（revolve）又は回転（rotate）することができる。その結果、波面がこれに従って変化する。数ｋＨｚより大きい周波数に対して、スペックルパターンは、これに従って変化する。こうして、波長の位相は、例えば空間光変調器といった電気的光学セルにより、空間的に歪められることができる。
【００３４】
本発明の更なる側面によれば、コヒーレンス妨害ユニット２００は、電気的に制御された拡散器として実現されることができる。
【００３５】
本発明の更なる側面によれば、レーザー光源及びコヒーレンス妨害ユニットは、縦型空洞表面放出レーザ（ＶＣＳＥＬ）として一緒に実現されることができる。
【００３６】
特に、縦型空洞表面放出レーザーは、図６Ａに図示される通常のレーザーと比較して、図６Ｂに示されるように空腔において段階状の設計を持つことができる。段階状の縦型空洞表面放出レーザーを用いると、レーザーの波面は、空腔の段階状の設計により歪められる。縦型空洞表面放出レーザーは、ｎ―接触ｎと、ｐ―接触ｐと、間に段階状の活動層（ＳＡＬ）とを有する。
【００３７】
図７は、本発明の側面によるバイタルサイン監視システムの概略的な断面を示す。光学的心拍センサ１０は、少なくとも１つのレーザー光源１１０と、フォトダイオード１２０と、変調ユニット１３０とを有する。変調ユニットは例えばレーザー源１１０の前に構成される。変調ユニット１３０は、起動されるときレーザー光源１１０からの光の波面を歪めるよう機能する。起動されない場合、光は歪められない。変調ユニット１３０は例えば、レーザー光の波面の位相を歪める位相変調器として実現されることができる。代替的に、変調ユニットは、電気的に制御された拡散器、空間光変調器、エレクトロクロミックユニット又は波長変調器として実現されることができる。液晶変調器１３０は、空間光変調器として作用する。その結果、レーザー変動の波面の位相が、液晶変調器１３０における液晶により歪められ、レーザー光源１１０からのコヒーレント光が非コヒーレント光に変換される。
【００３８】
非コヒーレント光及び検出された反射に基づき、バイタルサイン監視ユニットが、第１の動作モードにおいて作動するとき、ユーザの心拍を決定することができる。
【００３９】
第２の動作モードにおいて、コヒーレンス妨害ユニット２００は停止され、レーザー光源からのコヒーレント光が、ユーザの皮膚に入る。フォトダイオード１２０により検出される反射された信号は、有利な高血圧、心不全、高コレステロール血症、アルツハイマー病、手根管症候群、精神分裂症、腎臓タイプ２糖尿病、末梢血管疾患、アテローム硬化型冠動脈疾患、系統的硬化症、肥満、プライマリエイジング、睡眠時無呼吸、損傷評価、形成手術、ドップラーカフ血圧、末梢性動脈の閉鎖的な疾患及び浮腫における微小循環に関する血液知識の微小循環を分析するために使用されることができる。
【００４０】
本発明の更なる側面によれば、コヒーレンス妨害ユニット２００は、レーザー光の拡散係数を変化させることにより、レーザーの波面を乱すエレクトロクロミックデバイスとして実現されることができる。
【００４１】
本発明の側面において、コヒーレンス歪曲ユニットは、波面の位相を歪める位相変調器として実現されることができる。位相変調器は、電気光学（ＥＯ）変調器、ＡＯ変調器、回転位相板又は代替的にガルヴァーニ若しくは圧電駆動デバイスとすることができる。
【００４２】
図面、開示及び添付された請求項の研究から、開示された実施形態に対する他の変形が、請求項に記載の本発明を実施する当業者により理解され、実行されることができる。
【００４３】
請求項において、単語「有する」は他の要素又はステップを除外するものではなく、不定冠詞「ａ」又は「ａｎ」は複数性を除外するものではない。
【００４４】
単一のユニット又はデバイスが、請求項において列挙される複数のアイテムの機能を満たすことができる。特定の手段が相互に異なる従属項に記載されるという単なる事実は、これらの手段の組み合わせが有利に使用されることができないことを意味するものではない。コンピュータプログラムは、他のハードウェアと共に又はその一部として供給される光学的記憶媒体又は固体媒体といった適切な媒体において格納／配布されることができるが、インターネット又は他の有線若しくは無線通信システムを介してといった他の形式で配布されることもできる。
【００４５】
請求項における任意の参照符号は、発明の範囲を限定するものとして解釈されるべきではない。
【図１】
2017505660.tif 000003
【図２】
2017505660.tif 000004
【図３Ａ】
2017505660.tif 000005
【図３Ｂ】
2017505660.tif 000006
【図４Ａ】
2017505660.tif 000007
【図４Ｂ】
2017505660.tif 000008
【図４Ｃ】
2017505660.tif 000009
【図５】
2017505660.tif 000010
【図６Ａ】
2017505660.tif 000011
【図６Ｂ】
2017505660.tif 000012
【図７】
2017505660.tif 000013
【国際調査報告】
2017505660.tif 000014
2017505660.tif 000015
2017505660.tif 000016